(57)【特許請求の範囲】
【請求項１】
枠体内に張設した線材により半硬化体を切断する半硬化体の切断装置において、
前記線材の上端部と下端部にそれぞれコマを取り付け、
前記線材の上端部を、上側に位置する第１の円弧状の線材案内部材に巻き掛けて、前記第１の線材案内部材の近傍に位置するＵ字形の係止フックに前記上端部のコマを係合し、
前記線材の下端部を、スリット板の一端側のスリット溝を通し、前記スリット板の下側近傍に位置する第２の円弧状の線材案内部材に巻き掛け、前記スリット板の他端側のスリット溝を通して、前記スリット板の係合凹溝に前記下端部のコマを係合すると共に、
前記第２の線材案内部材を、前記枠体の下部横桟の長手方向のほぼ全長に亘って設けることを特徴とする半硬化体の切断装置。
【発明の詳細な説明】
【０００１】
【発明の属する技術分野】
本発明は、例えば未養生のＡＬＣ（軽量気泡コンクリート）パネル等の半硬化体をピアノ線等の線材により切断する半硬化体の切断装置に関する。
【０００２】
【従来の技術】
従来、例えばＡＬＣパネルを製造する場合には、原料スラリーを成形型内に投入してブロック状に成形し、それを半硬化状態のままでピアノ線等の線材で所定の厚さ等に切断したのち蒸気養生して所定の大きさ形状のＡＬＣパネルを製造している。
【０００３】
図３〜図５は上記のような未養生のＡＬＣパネル等の半硬化体を切断する従来の切断装置の一例を示すもので、略方形に形成した枠体１の上部横桟２と下部横桟３との間に、半硬化体を切断するピアノ線等の鋼線材よりなる多数の線材４を所定の間隔をおいて略平行に設けた構成である。
【０００４】
下部横桟３の上面には、上記の線材４を所定の間隔に位置決め係止する線材係合用のスリット溝５ａを有する下部スリット板５が溶接等で一体的に取付けられ、上部横桟２には上記と同様のスリット溝６ａを有する上部スリット板６が支持腕７を介して取付けられている。その上部スリット板６の下面には、上記各線材４の上部を前方（図５（ｂ）において左側）に張り出させるための張出ロッド８が支持部材９を介して取付けられ、その張出ロッド８によって上記各線材４の上部が前方に所定の角度で傾斜するように構成されている。
【０００５】
また上記支持腕７には、多数の揺動レバー１０が横軸１１を介して回動可能に取付けられ、その各揺動レバー１０の一端に上記各線材４の一端を係止する係止フック１２が一体的に設けられている。その各係止フック１２には線材係合用のスリット溝１２ａが設けられ、そのスリット溝１２ａと前記下部スリット板５のスリット溝５ａとに、上記各線材４の両端部を係合させると共に、各線材４の両端部に設けたコマ１４で抜け止め係止させた構成である。そのコマ１４としては例えば図７に示すように略有底円筒状のコマ本体１５に形成した線材挿通孔１５ａ内に線材４を挿通し、その線材４の側面に球体１６を押ねじ１７により圧接させて抜け止め固定したものが用いられている。
【０００６】
図中、２０は上記各線材４に張力を付与するためのエアシリンダ等の流体シリンダで、その各流体シリンダ２０は前記枠体１の最上部の横桟２２に軸受部材２３を介して揺動可能に取付けられ、その各流体シリンダ２０のピストンロッド２１と、前記各揺動レバー１０の係止フック１２と反対側の端部とを横方向の軸ピン２４で回動可能に連結した構成である。
【０００７】
その各流体シリンダ２０のピストンロッド２１を収縮させることによって上記各揺動レバー１０を介して上記各線材４に所定の張力を付与する構成であり、その状態で、図５（ｂ）に示すように半硬化体Ｐを枠体１内に向かって移動させ、もしくは枠体１を半硬化体Ｐに向かって移動させることにより前記の各線材４で半硬化体Ｐを所定の厚さ等に切断するものである。
【０００８】
ところが、上記のように線材４の両端部を係止フック１２のスリット溝１２ａと下部スリット板５のスリット溝５ａとに係合して、線材４の両端部に設けたコマ１４で抜け止め保持させるものは、線材４に大きな張力を付与したときに該線材４のコマ１４との連結部、例えば上記図７に示すようなコマにあっては球体１６の圧接部に応力が集中して線材が破断するおそれがある。
【０００９】
そこで、例えば図８および図９に示すように巻取ドラム３０を用いることが提案されている。すなわち線材４の両端部をそれぞれ巻取ドラム３０に形成した電線挿通孔３０ａ内に挿入して押ねじ３１等で抜け止め固定すると共に、該ドラム３０の周面に線材４を巻き付け、その各巻取ドラム３０に設けた回り止め突起３２を係止フック１２のＵ字状凹部１２ｂと、下部横桟３に取付けた係止フック３３のＵ字状凹部３３ａにそれぞれ係合保持させるものである。
【００１０】
しかしながら上記のような巻取ドラム３０に線材４の端部を押ねじ３１等で固定して巻き付けるのは面倒であり、特に線材４としてピアノ線等の鋼線材を用いた場合にはスプリングバックによる巻き戻し復元力が強いため、非常に巻きずらく、多数の線材４を巻付けるには多大な労力と時間を要し、非能率的である等の問題があった。
【００１１】
【発明が解決しようとする課題】
本発明は上記の問題点に鑑みて提案されたもので、上記のような線材を簡単・確実に固定できると共に、線材に大きな張力を付与した場合にも破断するおそれの少ない半硬化体の切断装置を提供することを目的とする。
【００１２】
【課題を解決するための手段】
上記の目的を達成するために本発明による半硬化体の切断装置は、以下の構成としたものである。
【００１３】
即ち、枠体内に張設したピアノ線等の線材によりＡＬＣパネル等の半硬化体を切断する半硬化体の切断装置において、前記線材の上端部と下端部にそれぞれコマを取り付け、前記線材の上端部を、上側に位置する第１の円弧状の線材案内部材に巻き掛けて、前記第１の線材案内部材の近傍に位置するＵ字形の係止フックに前記上端部のコマを係合し、前記線材の下端部を、スリット板の一端側のスリット溝を通し、前記スリット板の下側近傍に位置する第２の円弧状の線材案内部材に巻き掛け、前記スリット板の他端側のスリット溝を通して、前記スリット板の係合凹溝に前記下端部のコマを係合すると共に、前記第２の線材案内部材を、前記枠体の下部横桟の長手方向のほぼ全長に亘って設けることを特徴とする半硬化体の切断装置。
【００１４】
【発明の実施の形態】
以下、本発明による半硬化体の切断装置を図に示す実施形態に基づいて具体的に説明する。
【００１５】
図１（ａ）は本発明による半硬化体の切断装置の正面図、同図（ｂ）はその側面図、図２（ａ）はその要部の拡大側面図、同図（ｂ）はその一部の正面図であり、前記従来例と同様の機能を有する部材には同一の符号を付して重複する説明は省略する。
【００１６】
本実施形態は、各揺動レバー１０の一端側にＵ字状の線材係止フック１２を、その開口部がほぼ正面側を向くようにして一体的に設け、その各線材係止フック１２の上部に円弧状（図の場合は円形）の線材案内部材４１を上記各揺動レバー１０に一体的に設けたものである。その各線材案内部材４１の周面にそれぞれ線材４を図の場合は約半周程度巻き掛け、その各線材４の先端部に設けたコマ１４を２枚１組の揺動レバー１０・１０間に挿通したのち上記係止フック１２に係合保持させる構成である。そのコマ１４は前記図７の従来例と同様のものが用いられている。後述する各線材４の下端部のコマも同様である。
【００１７】
一方、上記各線材４の下端部は、下部横桟３の下面側を取り巻くようにして該横桟３に取付けた円弧状（図の場合は半円弧状）の線材案内部材４２の周面に略半周程度巻き掛けると共に、その線材案内部材４２に巻き掛けた線材４の両端部を下部スリット板５の両側に形成したスリット溝５ａに係合させ、かつ上記各線材４の下端部に取付けたコマ１４を下部スリット板５に係合保持させた構成である。図中、４ｂは上記のコマ１４を係合保持させるための凹溝である。上記の線材案内部材４２は本実施形態においては図１に示すように下部横桟３の長手方向ほぼ全長にわたって設けられている。
【００１８】
上記のように線材４の端部に取付けたコマ１４を係合させる上記係止フック１２や下部スリット板５等の係合部の近傍に円弧状の線材案内部材４１，４２を設け、その線材案内部材４１，４２に線材４の端部を巻き掛けるようにすると、上記線材４に張力を付与したときの引っ張り力は主として上記線材案内部材４１，４２が受け、コマ１４と線材４の連結部には、あまり引っ張り力が作用しないので、線材４が破断するのを可及的に低減させることができる。
【００１９】
また線材４を取付ける際には、線材４の両端部を線材案内部材４１，４２に巻き掛けて線材４の先端部に設けたコマ１４を係止フック１２や下部スリット板５等の係合部に係合保持させるだけで極めて簡単に装着できるもので、本発明の半硬化体の切断装置のように多数の線材を用いるものにあっても、容易・迅速に線材を装着もしくは交換等を行うことができるものである。
【００２０】
【実験例】
線材４として直径０．７ｍｍのピアノ線と、直径０．９ｍｍのピアノ線とを用い、前記図５〜図７に示すようなコマ１４のみで固定する場合と、前記図８〜図９に示すような巻取ドラム３０に線材を半周および１周巻いて固定した場合、および本発明による前記図１〜図４の実施形態のように線材案内部材４１，４２を設けた切断装置を用いて線材４を固定した場合について、それぞれ引っ張り試験を行い、線材が破断するまでの最大引張荷重（ｋｇｆ）を求めた。その結果を下記表１に示す。なお上記巻取ドラム３０としては直径３０ｍｍのものを用い、線材案内部材４１は直径３０ｍｍ、線材案内部材４２は半径７５ｍｍのものを用いた。
【００２１】
【表１】
0004535610.tif 000002
【００２２】
上記の表からも明らかなように直径０．７ｍｍと直径０．９ｍｍのピアノ線のいずれの場合においても本発明による切断装置の最大引張荷重が最も高いことが分かった。本発明による切断装置の最大引張荷重のバラツキも最小であった。
【００２３】
【発明の効果】
以上のように本発明による半硬化体の切断装置は、線材４の端部に取付けたコマ１４を係合させる上記係止フック１２や下部スリット板５等の係合部の近傍に円弧状の線材案内部材４１，４２を設け、その線材案内部材４１，４２に線材４の端部を巻き掛けて上記コマ１４を係止フック１２や下部スリット板５等の係合部に係合保持させるようにしたから、上記線材４に張力を付与したときの引っ張り力は主として上記線材案内部材４１，４２が受け、コマ１４と線材４の連結部には、あまり引っ張り力が作用しないので、線材４が破断するのを可及的に低減させることができる。
【００２４】
また線材４を取付ける際には、線材４の両端部を線材案内部材４１，４２に巻き掛けて線材４の先端部に設けたコマ１４を係止フック１２や下部スリット板５等の係合部に係合保持させるだけで極めて簡単に装着できるもので、半硬化体の切断装置のように多数の線材を用いるものにあっても、容易・迅速に線材を装着できると共に、線材の交換等も容易に行うことができる等の効果がある。
【図面の簡単な説明】
【図１】（ａ）は本発明による半硬化体の切断装置の一実施形態を示す正面図。
（ｂ）は（ａ）におけるｂ−ｂ線縦断側面図。
【図２】上記切断装置の要部の拡大縦断側面図。
【図３】（ａ）は上記切断装置における揺動レバーの拡大平面図。
（ｂ）はその側面図。
（ｃ）はその正面図。
（ｄ）はその底面図。
【図４】（ａ）は線材を連結保持させた状態の揺動レバーの側面図。
（ｂ）はその正面図。
【図５】（ａ）は半硬化体切断装置の従来例を示す正面図。
（ｂ）は（ａ）におけるｂ−ｂ線縦断面図。
【図６】上記半硬化体切断装置の要部の拡大縦断側面図。
【図７】コマの一部縦断正面図。
【図８】半硬化体切断装置の他の従来例の要部の拡大縦断側面図。
【図９】（ａ）は揺動レバーに巻取ドラムを装着する状態の一部縦断正面図。
（ｂ）はその一部の側面図。
【符号の説明】
１  枠体
２  上部横桟
３  下部横桟
４  線材
５  下部スリット板
６  上部スリット板
５ａ、６ａ  スリット溝
８  張出ロッド
１０  揺動レバー
１２  係止フック
１４  コマ
２０  流体シリンダ
４１、４２  線材案内部材
Ｐ  半硬化体
【図１】
0004535610.tif 000003
【図２】
0004535610.tif 000004
【図３】
0004535610.tif 000005
【図４】
0004535610.tif 000006
【図５】
0004535610.tif 000007
【図６】
0004535610.tif 000008
【図７】
0004535610.tif 000009
【図８】
0004535610.tif 000010
【図９】
0004535610.tif 000011